(57)【特許請求の範囲】
【請求項１】
２つのスピーカユニットの接合分離が可能なバータイプのスピーカ装置であって、
溝部が設けられた第１のスピーカユニットと、
溝部が設けられた第２のスピーカユニットと、
ネジ止め孔がそれぞれ設けられた２つの突起部を有し、当該２つの突起部を前記溝部にそれぞれ嵌挿して前記第１のスピーカユニットと前記第２のスピーカユニットとを棒状に接合する接合部品とを備え、
前記第１及び第２のスピーカユニットは、それぞれ、嵌挿された前記突起部を押止するバネ部を有し、
前記バネ部には、前記突起部を前記溝部に嵌挿した際に、前記突起部のネジ止め孔に引っ掛かるリブを持つネジ止め孔が設けられており、
前記突起部のネジ止め孔と、前記バネ部のネジ止め孔のリブとに、同じ勾配のテーパがそれぞれ形成されており、
仮固定時は、前記突起部のネジ止め孔のテーパ中心と、前記バネ部のネジ止め孔のリブのテーパ中心とがずれており、
ネジ止め固定によって前記２つのテーパ中心を一致させることで、前記バネ部のネジ止め孔のリブのテーパを前記突起部のネジ止め孔のテーパに圧力が掛かった状態で接触させ、前記第１及び第２のスピーカユニットと前記接合部品とを密着させる構造である、バータイプのスピーカ装置。
【請求項２】
基台に前記２つの突起部と同一形状の突起部を有した第２の接合部品をさらに備え、
前記第２の接合部品の前記突起部に、前記第１又は第２のスピーカユニットの前記溝部を嵌挿することで、スタンドタイプのスピーカ装置に変形できる、請求項１に記載のバータイプのスピーカ装置。
【発明の詳細な説明】
【技術分野】
【０００１】
本発明は、スピーカ装置に関し、より特定的には、接合したり分離したりすることが可能な２つのスピーカユニットを備えたバータイプのスピーカ装置に関する。
【背景技術】
【０００２】
これまで薄型テレビ等の映像処理機器から発せられる音声を再現するスピーカ装置は、一般的にディスプレイと共に薄型テレビの筐体に内蔵されていた。しかし近年、薄型テレビの大画面化や壁掛け化の流れに伴って、ディスプレイとスピーカ装置とが独立した構造の薄型テレビの製品化が要求されている。
【０００３】
また、ディスプレイとスピーカ装置とが独立した構造の製品では、ユーザの視聴スタイルに合わせてスピーカ装置の使用形態（壁掛け型、フロアスタンド型、ディスプレイ左右分離型、ディスプレイ下部一体型（バータイプ）等）も変えられるように、２つのスピーカユニット（例えば、２チャンネルステレオの右チャンネル用と左チャンネル用）がユーザによって容易に接合や分離ができる構造が望ましい。
【０００４】
この２つのスピーカユニットの接合や分離ができる構造として、例えば特許文献１に開示された従来のスピーカ装置の構造が存在する。この従来のスピーカ装置の構造は、２つのスピーカボックスを２枚の金属板で挟み込み、各スピーカボックス及び金属板をボルトとナットとでそれぞれ固定する、というものである。
【先行技術文献】
【特許文献】
【０００５】
【特許文献１】特開平２−１２６７９３号公報
【発明の概要】
【発明が解決しようとする課題】
【０００６】
しかしながら、上述した従来のスピーカ装置では、スピーカ装置の構成を自由にカスタマイズしようとする場合に、２つのスピーカユニットを接合する作業に手間が掛かりすぎるという課題がある。
また、上述した従来のスピーカ装置では、ボルト及びナットによるスピーカボックスの取り付けをユーザに任せている。このため、ボルト及びナットの締め付け方がばらつくと、スピーカボックスが傾いたり位置がずれたりして、満足のいく完成度を得るためにユーザが何度も接合作業を行わなければならないという課題もあった。
【０００７】
それ故に、本発明の目的は、接合する作業に手間が掛からず、かつ、一度の接合作業で満足のいく完成度を得ることができる、接合分離可能な２つのスピーカユニットを備えたバータイプのスピーカ装置を提供することである。
【課題を解決するための手段】
【０００８】
本発明は、２つのスピーカユニットの接合分離が可能なバータイプのスピーカ装置に向けられているそして、上記目的を達成するために、本発明のスピーカ装置は、溝部が設けられた第１及び第２のスピーカユニットと、２つの突起部を有し、この２つの突起部を溝部にそれぞれ嵌挿して第１のスピーカユニットと第２のスピーカユニットとを棒状に接合する接合部品とを備えている。
【０００９】
好ましくは、第１及び第２のスピーカユニットは、それぞれ、嵌挿された突起部を押止するバネ部を有する。また、突起部には、ネジ止め孔が設けられており、バネ部には、突起部を溝部に嵌挿した際に突起部のネジ止め孔に引っ掛かるリブを持つネジ止め孔が設けられている。この突起部のネジ止め孔と、バネ部のネジ止め孔のリブとには、同じ勾配のテーパがそれぞれ形成されていることが望ましい。さらには、ネジ止めすることによって、バネ部のネジ止め孔のリブのテーパを突起部のネジ止め孔のテーパに圧力が掛かった状態で接触させ、第１及び第２のスピーカユニットと接合部品とを密着させる構造であるとなおよい。
【００１０】
また、基台に２つの突起部と同一形状の突起部を有した第２の接合部品を用意して、第２の接合部品の突起部に、第１又は第２のスピーカユニットの溝部を嵌挿することで、バータイプのスピーカ装置をスタンドタイプのスピーカ装置に変形できるようにすれば、ユーザ利便性がさらに向上する。
【発明の効果】
【００１１】
本発明によれば、接合部品をスピーカユニットに嵌挿したときにクリック感を発生させることができ、またネジ止めした場合に接合部品とスピーカユニットとの隙間を詰めることが可能となる。これにより、本発明は、接合する作業に手間が掛からず、また一度の接合作業で満足のいく完成度を得られる、という格別な効果を発揮することができる。
【図面の簡単な説明】
【００１２】
【図１Ａ】本発明の一実施形態に係るバータイプのスピーカ装置１の構成を示す図
【図１Ｂ】本発明の一実施形態に係る他のバータイプのスピーカ装置２の構成を示す図
【図２】接合部品３０の詳細な構造を説明する図
【図３】第１のスピーカユニット１０の詳細な構造を説明する図
【図４】バネ部１２の斜視図である。
【図５】嵌挿する前における第１のスピーカユニット１０と接合部品３０との位置関係を示す図
【図６Ａ】第１の突起部３１が溝部１１に挿入されていく様子を段階的に示した図
【図６Ｂ】第１の突起部３１が溝部１１に挿入されていく様子を段階的に示した図
【図６Ｃ】第１の突起部３１が溝部１１に挿入されていく様子を段階的に示した図
【図６Ｄ】第１の突起部３１が溝部１１に挿入されていく様子を段階的に示した図
【図７Ａ】バネ部１２のリブ１２ｂに形成されたテーパを実現する他の構造例
【図７Ｂ】バネ部１２のリブ１２ｂに形成されたテーパを実現する他の構造例
【図８】本発明の一実施形態に係るスタンドタイプのスピーカ装置３の構成を示す図
【発明を実施するための形態】
【００１３】
図１Ａは、本発明の一実施形態に係るバータイプのスピーカ装置１の構成を示す図である。図１Ａに示す本実施形態に係るスピーカ装置１は、第１のスピーカユニット１０と、第２のスピーカユニット２０と、接合部品３０とを備えている。本実施形態の第１のスピーカユニット１０及び第２のスピーカユニット２０は、同一の構造である。よって、例えば本発明のスピーカ装置１を２チャンネルステレオの音声再生に使用する場合には、どちらのスピーカユニットも左右いずれのチャンネル向けに使用することが可能である。
【００１４】
接合部品３０は、図１Ａの（ａ）に示すように、第１の突起部３１及び第２の突起部３２を有している。第１のスピーカユニット１０は、第１の突起部３１（又は第２の突起部３２）を嵌め込むことが可能な形状の溝部１１を有しており、第２のスピーカユニット２０は、第２の突起部３２（又は第１の突起部３１）を嵌め込むことが可能な形状の溝部２１を有している。この接合部品３０の第１及び第２の突起部３１及び３２を第１及び第２のスピーカユニット１０及び２０の溝部１１及び２１にそれぞれ嵌挿することで、図１Ａの（ｂ）に示す棒状のスピーカ装置（スピーカバー）を形成することができる。
【００１５】
また、機能的に同等であるが意匠的に異なる他のバータイプのスピーカ装置２として、図１Ｂに示す構成が考えられる。この図１Ｂに示すスピーカ装置２は、溝部１１側にフランジ１６を有する第１のスピーカユニット１５と、溝部２１側にフランジ２６を有する第２のスピーカユニット２５と、接合部品３０とを備えている。そして、各構成を上記スピーカ装置１と同じように組み込めば、スピーカ装置２は、接合部品３０を第１及び第２のスピーカユニット１５及び２５とで包み込んだ形状となる（図１Ｂの（ｂ））。
【００１６】
以下、図１Ａに示すスピーカ装置１の構成を用いて、本発明を説明する。
まず、第１のスピーカユニット１０、第２のスピーカユニット２０、及び接合部品３０の詳細な構造を説明する。なお、上述したように、第１のスピーカユニット１０と第２のスピーカユニット２０とは同一の構造であるため、スピーカユニットに関しては、代表して第１のスピーカユニット１０を説明することにする。
【００１７】
図２は、接合部品３０の詳細な構造を説明する図である。図２では、接合部品３０の正面図（ａ）、右側面図（ｂ）、正面図におけるＡ−Ａ断面図（ｃ）、及び平面図（ｄ）をそれぞれ示している。
【００１８】
接合部品３０は、第１の突起部３１と、第２の突起部３２と、ケース３３とを有している。第１の突起部３１は、ケース３３の第１側面から突出しており、第２の突起部３２は、第１側面と対向する第２側面から突出している。第１の突起部３１は、幅Ｄ１の厚みを持つ所定形状の平板に、嵌挿したスピーカユニットにネジ止め固定するための主ネジ止め孔３１ａ及び副ネジ止め孔３１ｂが設けられた構造である。この主ネジ止め孔３１ａには、予め定めた勾配のテーパが形成されている。また、第１の突起部３１には、曲げ強度を向上させるためのリブ３１ｃが設けられている。本発明では、テーパが形成された主ネジ止め孔３１ａを設けていれば本発明特有の効果を発揮することができ、補強目的で設けられる副ネジ止め孔３１ｂやリブ３１ｃは省略可能である。また、第２の突起部３２には、第１の突起部３１と同様に、主ネジ止め孔３２ａ、副ネジ止め孔３２ｂ、及びリブ３２ｃが設けられている。
【００１９】
なお、図２で説明した第１の突起部３１、第２の突起部３２、及びケース３３の形状、素材、及び突出方向等は、一例であってスピーカ装置１の目的や仕様に応じて自由に設計が可能である。また、第１の突起部３１、第２の突起部３２、及びケース３３は、別部品で成形されても一体で形成されてもよい。典型的には、第１の突起部３１及び第２の突起部３２は、板金加工によって一体成形される。
【００２０】
図３は、第１のスピーカユニット１０の詳細な構造を説明する図である。図３では、第１のスピーカユニット１０の正面図（ａ）、右側面図（ｂ）、及び正面図におけるＢ−Ｂ断面図（ｃ）をそれぞれ示している。
図４は、図３のバネ部１２の表面斜視図（ａ）及び裏面斜視図（ｂ）を示している。
【００２１】
第１のスピーカユニット１０は、溝部１１と、バネ部１２と、ケース１３とを有している。溝部１１は、ケース１３の側面に開口部を有し、第１の突起部３１（又は第２の突起部３２、記載は省略するが以下も同様である）を挿入できる断面形状及び奥行きを持った嵌合用のガイド溝である。バネ部１２は、弾力性のある樹脂等で成形された部材であり、溝部１１に挿入された第１の突起部３１を押止する位置に設けられる。このバネ部１２は、溝部１１に挿入された第１の突起部３１と接する裏面側に、第１の突起部３１の主ネジ止め孔３１ａに引っ掛けるためのテーパが形成されたリブ１２ｂ（図４の網掛け部分）を持つ、ネジ止め孔１２ａが設けられている。つまり、図３のＢ−Ｂ断面図（ｃ）で示す幅Ｄ２及び幅Ｄ３は、図２のＡ−Ａ断面図（ｃ）で示す幅Ｄ１に対して、Ｄ２≧Ｄ１＞Ｄ３の関係を有するように設計される。なお、バネ部１２のリブ１２ｂに形成されるテーパの勾配は、第１の突起部３１の主ネジ止め孔３１ａに形成されるテーパの勾配と同じである。
【００２２】
ケース１３は、ネジ止め孔１３ａ及び１３ｂを有する。このネジ止め孔１３ａ、ネジ止め孔１２ａ、及び主ネジ止め孔３１ａにネジを差し込んで締め付けることで、バネ部１２、第１の突起部３１、及びケース１３が固定される。また、ネジ止め孔１３ｂ及び副ネジ止め孔３１ｂにネジを差し込んで締め付けることで、第１の突起部３１及びケース１３が固定される。
【００２３】
なお、図３で説明した溝部１１、バネ部１２、及びケース１３の形状や素材等は、一例であってスピーカ装置１の目的や仕様に応じて自由に設計が可能である。また、バネ部１２及びケース１３は、別部品で成形されても一体で形成されてもよい。また、第１のスピーカユニット１０は、本質であるスピーカ機能を発揮する構成を備えているが、この構成は本発明の主眼ではないため、図示及び説明を省略する。
【００２４】
次に、上述した本発明のスピーカ装置１による特徴的な構造によって、第１の突起部３１を溝部１１に嵌挿したときに規定の位置まで挿入できたという感触を与える、いわゆるクリック感を発生させ、かつ、ネジ止めによって第１のスピーカユニット１０と接合部品３０とを強固に密着させることが可能であるメカニズムを、図５、図６Ａ〜図６Ｄをさらに参照して説明する。
【００２５】
図５は、嵌挿する前における第１のスピーカユニット１０と接合部品３０との位置関係を示す正面図（ａ）及び断面図（ｂ）を示している。
図６Ａ〜図６Ｄは、図５の断面図（ｂ）に示した位置関係から、接合部品３０の第１の突起部３１が第１のスピーカユニット１０の溝部１１に挿入されていく様子を段階的に示した図である。
なお、これら図５及び図６Ａ〜図６Ｄにおいては、構成の一部を省略や透過して描画することで、第１のスピーカユニット１０と接合部品３０との嵌合動作を分かり易くしている。
【００２６】
図５に示す位置から、接合部品３０の第１の突起部３１が第１のスピーカユニット１０の溝部１１に挿入された場合、まず第１の突起部３１の先端がバネ部１２のリブ１２ｂに当たる（図６Ａ）。
この第１の突起部３１の先端がバネ部１２のリブ１２ｂに当たった状態からさらに第１の突起部３１を奥に挿入させると、上述したように幅Ｄ１＞幅Ｄ３の関係であるため、バネ部１２が有する弾力性によってバネ部１２が反って持ち上がり、リブ１２ｂが第１の突起部３１に乗り上がる（図６Ｂ）。
【００２７】
そして、このバネ部１２のリブ１２ｂが第１の突起部３１に乗り上がった状態からさらに第１の突起部３１を奥に挿入させて、接合部品３０の第１側面を第１のスピーカユニット１０の側面に当接させると、バネ部１２の復元力によってリブ１２ｂが第１の突起部３１の主ネジ止め孔３１ａに入り込んで、第１の突起部３１がバネ部１２に引っ掛かった状態となる（図６Ｃ）。この第１の突起部３１に乗り上がったリブ１２ｂが主ネジ止め孔３１ａに入り込んだときに、上述したクリック感を発生させる。
【００２８】
このクリック感を発生させた段階で、接合部品３０と第１のスピーカユニット１０との仮固定が完了する。しかしながら、この仮固定状態は、図６Ｃの拡大図で示すように、バネ部１２のリブ１２ｂに形成されたテーパと第１の突起部３１の主ネジ止め孔３１ａに形成されたテーパとがぴったり接触した状態ではない。そのため、接合部品３０の第１側面と第１のスピーカユニット１０の側面との間に、隙間が生じる場合がある。
【００２９】
そこで次に、ケース１３のネジ止め孔１３ａ、バネ部１２のネジ止め孔１２ａ、及び第１の突起部３１の主ネジ止め孔３１ａにネジを差し込んで、バネ部１２と第１の突起部３１とを締め付ける（図６Ｄ）。このネジ締め付けにより、バネ部１２のリブ１２ｂに形成されたテーパが、第１の突起部３１の主ネジ止め孔３１ａに形成されたテーパに圧力ｘが掛かった状態で接触するため（図６Ｄの拡大図）、第１の突起部３１を溝部１１の奥側に押し出そうとする力ｙ（引っ張られる力）が生じる。その結果、図６Ｄに示すように、接合部品３０の第１側面と第１のスピーカユニット１０の側面との間にあった隙間（図６Ｃ）を詰めることができ、第１のスピーカユニット１０と接合部品３０とを強固に密着させることができる（密着感）。
【００３０】
なお、図６Ｃに示した仮固定状態を発生させるためには、第１のスピーカユニット１０と接合部品３０とを嵌合させたときのバネ部１２のネジ止め孔１２ａの中心と第１の突起部３１の主ネジ止め孔３１ａの中心とを、意図的にずらしておくことが好ましい。このずれ構造は、例えば、接合部品３０の第１側面（及び第２側面）か、第１のスピーカユニット１０の側面（及び第２のスピーカユニット２０の側面）のいずれかに、可塑性のある樹脂等による０．１ｍｍ程度の凸形状部（リブや反り等）を設けることで実現できる。このように、可塑性のある凸形状部を設けて発生させた図６Ｃに示す仮固定状態から、図６Ｄに示すバネ部１２と第１の突起部３１との締め付けを行うことで、凸形状部を変形させて接合部品３０の第１側面と第１のスピーカユニット１０の側面との隙間を詰めることができる。
【００３１】
以上のように、本発明の一実施形態に係るスピーカ装置によれば、接合部品の突起部に設けられた主ネジ止め孔に所定勾配のテーパを形成し、スピーカユニットに設けられたバネ部のネジ止め孔に同じ勾配のテーパを持つリブを成形する。従って、接合部品をスピーカユニットに嵌挿したときにクリック感を発生させることができ、またネジ止めした場合に接合部品とスピーカユニットとの隙間を詰めることが可能となる。
【００３２】
これにより、本発明の一実施形態に係るスピーカ装置は、ユーザがスピーカ装置の構成を自由にカスタマイズする際には、部品の接合状態が正常であることを実感できるので（クリック感）、接合する作業に手間が掛からず、またスピーカ装置の完成度がばらつくことを防止できるので（密着感）、一度の接合作業で満足のいく完成度を得られる、という格別な効果を発揮することができる。
【００３３】
また、本発明の一実施形態に係るスピーカ装置は、スピーカユニットと接合部品との相対位置を、スピーカユニットに設けられたバネ部のネジ止め孔に形成されるテーパの中心と接合部品のネジ止め孔に形成されるテーパの中心とが少しずれる（０．１ｍｍ程度）寸法で予め設計する。このずれ設計においてネジ締めを行うと、締め付けが進むにつれて接合部品のネジ止め孔に形成されたテーパがバネ部のネジ止め孔に形成されたテーパの傾斜に沿って徐々に動き、元々ずれていた双方のネジ止め孔に形成されたテーパの中心がネジを締め終わった段階では一致することになる。従って、スピーカユニットに設けられたバネ部と接合部品との間に反発力、つまりスピーカユニットと接合部品との間に引き込み力を発生させ続けることができ、スピーカ装置としての全体的な強度の向上、審美的な一体感、及び隙間の均一性を実現させることができる。
【００３４】
なお、上記実施形態で説明したバネ部１２のリブ１２ｂに形成されたテーパは、次のような構造で実現することも可能である。
例えば、ケース１３と別の部品としてバネ部１２を用意するのではなく、図７Ａに示すように、ネジ止め孔１３ａを形成するボスの先端部分にテーパを形成する構造である。但し、この構造の場合には、テーパの部分が弾性力を持たない（移動しない）ため、クリック感はさほど発生しないと考えられる。
また、図７Ｂに示すように、先端にテーパを形成した弾性力を持つＣ型のバネ部品１８を用意し、ネジ止め孔１３ａを形成するボスの先端部分に嵌め込む構造である。この構造の場合にも、Ｃ型のバネ部品１８が上下方向に弾性力を持たない（移動しない）ため、クリック感はさほど発生しないと考えられる。
【００３５】
また、上記実施形態では、第１のスピーカユニット１０と第２のスピーカユニット２０とが同一の構造であると述べたが、２チャンネルステレオの右チャンネル用と左チャンネル用というように異なる構造であってもよい。なお、この場合には、接合部品３０の第１の突起部３１と第２の突起部３２とを異なる形状で形成しておく等、フールプルーフ設計が必要となる。
【００３６】
さらに、上記実施形態では、左右チャンネルのスピーカユニットを１本の棒状に接続するバータイプのスピーカ装置について説明した。しかし、このバータイプは、変形自在なスピーカシステムが実現する態様の１つに過ぎない。バータイプは、薄型テレビ等のディスプレイの上部又は下部にスピーカ装置を設置するための一態様であるが、ディスプレイの左部及び／又は右部に設置する態様も可能とするため、例えば図８に示すような接合部品４０がスピーカシステムで提供されてもよい。
【００３７】
図８に例示した接合部品４０は、基台４３の上面に突起部３１又は３２と同一形状の突起部４１を有した構造である（図８の（ａ））。この突起部４１に第１のスピーカユニット１０の溝部１１（又は第２のスピーカユニット２０の溝部２１）を嵌挿することで、図８の（ｂ）に示すスタンドタイプのスピーカ装置３を形成することができる。
なお、このスタンドタイプのスピーカ装置３は、常に左右一対で用いる必要はなく、例えばモノラル音声を出力するような場合には、１つだけで用いられてもよい。
【産業上の利用可能性】
【００３８】
本発明の構造は、接合分離可能な２つのスピーカユニットを備えたスピーカ装置等に利用可能であり、特に接合作業時にクリック感を発生させたい場合や部品同士の密着感を向上させたい場合等に有用である。
【符号の説明】
【００３９】
１、２、３  スピーカ装置
１０、１５、２０、２５  スピーカユニット
１１、２１  溝部
１２  バネ部
１２ａ、１３ａ、１３ｂ、３１ａ、３２ａ、３１ｂ、３２ｂ  ネジ止め孔
１２ｂ、３１ｃ、３２ｃ  リブ
１３、３３  ケース
１６、２６  フランジ
１８  バネ部品
３０、４０  接合部品
３１、３２、４１  突起部
４３  基台
【図１Ａ】
0005914835.tif 000002
【図１Ｂ】
0005914835.tif 000003
【図２】
0005914835.tif 000004
【図３】
0005914835.tif 000005
【図４】
0005914835.tif 000006
【図５】
0005914835.tif 000007
【図６Ａ】
0005914835.tif 000008
【図６Ｂ】
0005914835.tif 000009
【図６Ｃ】
0005914835.tif 000010
【図６Ｄ】
0005914835.tif 000011
【図７Ａ】
0005914835.tif 000012
【図７Ｂ】
0005914835.tif 000013
【図８】
0005914835.tif 000014